(57)【要約】  外側カバー１及び床部２を含む膨張可能な構造を備えるテントであって、膨張可能な構造は、標準の消火用のホース３又は外側がテキスタイルの編組である他の産業用の継ぎ目なしホース３で形成される少なくとも１つのビームを含む。ホース３は、その端部の各々が栓４で閉じられ、その少なくとも一方が空気の入口／出口要素５を含み、ホース３の少なくとも一端は、テントの外側カバー１及び／又はテントの床部２に対して、固定され及び／又は寄り掛かる。
2016518540.tif 000002
【特許請求の範囲】
【請求項１】
外側カバー（１）及び床部（２）を含む膨張可能な構造を備えるテントであって、
前記膨張可能な構造は、標準の消火用のホース（３）又は外側がテキスタイルの編組である他の産業用の継ぎ目なしホース（３）で形成される少なくとも１つのビームを含み、
他方、前記ホース（３）は、その端部の各々が栓（４）で閉じられ、その少なくとも一方が空気の入口／出口要素（５）を含み、
前記ホース（３）の少なくとも一端は、前記テントの前記外側カバー（１）及び／又は前記テントの前記床部（２）に対して、固定され及び／又は寄り掛かることを特徴とする、膨張可能な構造を備えるテント。
【請求項２】
前記ホース（３）の間には、前記接合要素（６）が配置されることを特徴とする請求項１に記載の膨張可能な構造を備えるテント。
【発明の詳細な説明】
【技術分野】
【０００１】
技術的な解決策は、膨張可能な構造を備えるテント、詳細には、作業、救援、軍事、人道、その他特定目的のテントなど、工業用テキスタイルのテントに関する。
【背景技術】
【０００２】
テントは普通、剛性材料で作られた支持構造のビームを含む。テントは、大部分が一時的な使用のみを対象としているので、そのような場合に、テントの運搬、並びに組立てに要する時間が問題となる。これらの欠点を改善するために、連続的に空気を送風するか又は気密性を有する膨張可能な管を備えるテント構造の解決策が公知である。
【０００３】
連続的に空気を送風する管に関連する問題は、作動圧力が低いこと（約１ｋＰａ）及びそのように関連する管の直径が大きいこと並びに空気の連続的な送風が必要であることである。
【０００４】
気密性の管内の作動圧力は、通常１５から４０ｋＰａであり、管の直径をかなり減少させるのに役立つ。しかしながら、その設計であるが故に、より高い圧力が望ましくなく（破壊的）、したがって、そのようなビームには、圧力開放弁を備え付けることが必要になる。晴れた日に空気量の増加を原因として増大した圧力は、圧力開放弁によって補償するのが一般的である。しかしながら、より冷えている夜間では、そのような放出空気が不足しており、テントが、特にその支持構造が崩壊する。
【０００５】
作動圧力がより高い継ぎ目なしの管は、圧力開放弁による圧力補償を必要とせず、好都合であると思われる。既述の原理を適用している解決策は、既に市場で入手可能であるが、採用されるビームは、特殊技術によって注文製作されるのが通常であり、これによりテントの総費用が過度に上昇する。
【０００６】
高い作動圧力に耐えることのできる既存の入手可能な要素をビームとして使用することは、有利であろう。そのような要素は、例えば、普通に入手可能である消火用のホースになると思われる。消火用のホースを屋根構造の支持体として使用することは、欧州特許出願公開第０８１０３３９号に開示されている。この解決策により、消火用のホースで有利に形成された膨張可能なビームを含む構造によって、暫定的な屋根を形成することができる。これらのホースは、それらの端部が、一列に配置された剛性支持要素に対して連結される。あるエリアに対してカバーを作るとき、剛性支持要素は、覆われるべきエリアの辺に沿って配置され、他方、これらの要素は、前記ホースのための空気供給ダクトとしても機能する。ホースは、そのそれぞれの端部がこれらの支持要素に連結され、膨張後に、前記支持要素の間には、それぞれ円弧すなわち一連のアーチが形成される。そして、一連のアーチの上には、カバー・シートが固定される。この解決策では、端部が開放されたアーチ付きのカバー（トンネル）が提供される。しかしながら、それは支持要素の体系であるが故にテントの構造には相応しくない。
【先行技術文献】
【特許文献】
【０００７】
【特許文献１】欧州特許出願公開第０８１０３３９号
【発明の概要】
【発明が解決しようとする課題】
【０００８】
この技術的な解決策の目的は、特に、テントの組立て及び解体についてのテント構造の簡易性を維持しながら、支持構造の膨張可能な要素として、標準の消火用のホース、又は、外側がテキスタイルの編組であり内側が気密性のライニングである他の産業用の継ぎ目なしホース、を使用することの有利性を活用する膨張可能な構造を備えるテントである。
【課題を解決するための手段】
【０００９】
前記目的は、この技術的な解決策に従った膨張可能な構造を備えるテントで実現され、テントは外側カバー及び床部を含み、膨張可能な構造は、標準の消火用のホース又は外側がテキスタイルの編組である他の産業用の継ぎ目なしホースで形成される少なくとも１つのビームを含み、他方、ホースは、その端部の各々が栓で閉じられ、その少なくとも一方が空気の入口／出口要素を含み、ホースの少なくとも一端は、テントの外側カバー及び／又はテントの床部に対して、固定され及び／又は寄り掛かることを特徴とする。
【００１０】
外側カバー及び床部の所定の設計に従ってテントの内側でホースを四方八方（縦、横、斜めにも）に配置することができる。ホースが互いに交差するケースでは、ホースは、比例した短めのセグメントとホースの関連端部とに分割することができ、栓は、それぞれホースの関連端部で接合要素に連結することができ、或いは、ホースが自由に交差するようにすることができる。
【００１１】
空気の入口／出口要素は、ホースの栓の底壁又は側壁に配置すると有利である。空気の入口／出口要素は、別個の空気の入口要素及び別個の空気の出口要素として設けることができるが、これらの要素を一体で設けることもできる。
【００１２】
技術的な解決策の基礎は、換言すると、標準の消火用のホース、又は、外側がテキスタイルの編組であり内側が気密性のライニングである他の産業用の継ぎ目なしホース、をテントの形態に適応させることである。テントのカバー及び床部が１つのユニットを全体的に形成する場合又はホースの端部が床部に固定される場合、ホースは、膨張時にアーチ形状をとり、特に、外側カバー及び床部の設計によって予め定められた形状に従った形状をとる。
【００１３】
標準の消火用のホース、又は、外側がテキスタイルの編組であり内側が気密性のライニングである他の産業用の継ぎ目なしホース、を活用することにより、圧力開放弁による圧力補償を必要とせずに、より高い作動圧力を適用することができる。テントの支持構造の形状及び全体的な寸法は、このように画定されて、周囲の温度又は圧力の変化によって起きる圧力変動の間でも不変に維持される。
【００１４】
技術的な解決策は、添付の図面でより詳細に説明される。
【図面の簡単な説明】
【００１５】
【図１】技術的な解決策に従った膨張可能な構造を備えるテントのビームである、その端部が栓で閉じられた膨張したホースを図解的に示す全体正面図である。
【図２】栓を備えるホースの一端の図１の詳細を図解的に示す図である。
【図３】ホースが一列に配置されたビームである技術的な解決策に従った膨張可能な構造を備えるテントすなわちトンネル・テントを図解的に示す図である。
【図４】ホースが交差した構成で配置されたビームである技術的な解決策に従った膨張可能な構造を備えるテントすなわちドーム・テントを図解的に示す図である。
【図５】交差したホースの接合についての図４の詳細を図解的に示す図である。
【図６】栓及び空気の入口／出口要素を備えるホースと締結フットの実施例を示す図である。
【発明を実施するための形態】
【００１６】
図３は、トンネル形状の膨張可能な構造を備えるテントの実施例を示す。この実施例では、テントは、テントのトンネル形状に対応する設計を有する、床部２に接続される外側カバー１を備える。床部２は、一体の床シートとして提供することも、例えば、分割した帯材とすることもできることは明らかである。テントは、一列に配置される独立した膨張可能なビームを備える。膨張可能なビームは、標準の消火用のホース又は外側がテキスタイルの編組である他の産業用の継ぎ目なしホース３から構成される。図１及び図２に示すように、ホース３は、その端部の各々が栓４で閉じられる。他方、栓４のうちの少なくとも１つは、入口／出口要素５を含む。そのような空気の入口／出口要素は、公知であり入手可能な、例えば、各種の手動又は自動の閉鎖式の空気弁である。図３に係る膨張可能な構造を備えるテントの実施例では、膨張したホース３は、両端すなわち栓４によって、できる限りホース３の端部によって、床部２、テント底部、及びこの床部２に隣接する外側カバー１に対して寄り掛かる。床部２の寸法をホース３の長さよりも短くしてホース３の端部の相関距離を制限することにより、ホース３は、膨張時に、床部２及び隣接する外側カバー１に対して背部が当たり、したがって、テントの外側カバー１を支持するテントのアーチ付きの膨張可能なビームを作り出す。外側カバー１は、公知の手段でホース３に付加的に取り付けることができる。しかしながら、付加的な取り付け具がなくてさえ、そのように組み立てられたテントは、十分に安定し剛性がある。ホース３の膨張は、図２に係るこの実施例では、関係のある栓４の側面に位置付けされる入口／出口要素５を用いて実行される。膨張可能な構造に含められるホース３は、支持構造の容易な膨張並びに収縮のための１つの気圧式組立体を形成するために、前述した入口／出口要素５を介して相互連結することもできる。
【００１７】
図４は、ビームすなわちホース３が交差したドーム形状の膨張可能な構造を備えるテントの実施例を示す。この実施例では、テントは、テントのドーム形状に対応する設計を有して床部２に一体となって連結される外側カバー１を含む。先の実施例と同様に、床部２は、一体の床シートとして提供することも、例えば、分割した帯材とすることもできる。このテントのビームは、ホース３から構成され、栓４によって閉じられたホースの一端は、床部２及び隣接する外側カバー１に対して寄り掛かり、栓４によって閉じられたホースの他端は、接合要素６に連結される。この連結は、栓４及び接合要素６が一体的に作られるように、実施することもできる。接合要素６は、さまざまな形態及び構成を呈することができ、それは主として、連結すべきホース３の数やホース３の交差する角度に依存する。最も一般的な形状は、例えば、「Ｘ」及び「Ｔ」である。先の実例に類似した対応する栓は、空気の入口／出口要素５を含む。アーチ付きのビームを作り出す原理は、先の実例に類似するホース３を膨張させることである。
【００１８】
接合要素６を採用することなく、ホース３を交差させることも勿論可能である。例えば、上述した特定の実施例のドーム形状のテントのために、接合要素６は、使用されないであろうし、そのような場合に、ホース３は、分割されることなく、一方が他方の上を通ることになる。
【００１９】
上述した実施例では、外側カバー１の周囲と床部２によって画定されるテントの内側にそれらの背部を当てることで、ホース３の派生形状が実現される。そのような構成は、この技術的な解決策の目的を達成する上で好都合である。
【００２０】
図６は、ホース３の栓４の実施例を示しており、床部２にそれを固定するために設計された締結要素７を備える。この形式の栓４を用いる技術的な解決策のこの実施例では、栓４の締結要素７が間に挿入される係留要素８を床部２上に所望の間隔で設けることが必要である。そして、栓４を床部２上の係留要素８に係留することで、ホース３の必要な張力が実現され、したがって、外側カバー１を含めた床部２との直接の力の相互作用は適用されない。このケースでは、外側カバー１を床部２と連結することは必須ではない。しかしながら、この解決策では、解決策の好ましい効果がすべて乏しくなる。
【００２１】
栓４をホースに連結すること自体は、栓をホースの端部に連結する公知の実施例によって実行可能である。
【００２２】
上述した実施例は、この技術的な解決策の原理を説明するためだけに例示的な実例として紹介している。この技術的な解決策に存在する原理の応用により、膨張可能な構造を備えるテントの多数の形状及び組合せが提供されることは明らかである。この技術的な解決策に従った膨張可能な構造を備えるテントのそのような他の実施例は、外側カバー１及び床部２の設計及び個別の寸法、ホース３の長さ、並びに、これらのホース３の交差様式及び組合せによって決定され、その一方、上記のすべてが特許請求の範囲によって画定される保護の範囲の中に含まれる、ということは明らかである。
【００２３】
この技術的な解決策は、入手が極めて容易なガス媒体である空気を膨張化媒体として考えている。しかしながら、窒素又は二酸化炭素などの他の適切な不活性ガスを使用することも可能であることは明らかである。
【産業上の利用可能性】
【００２４】
技術的な解決策に従った膨張可能な構造を備えるテントは、良好な収蔵性及び可搬性が要求される場合、並びに、膨張可能な構造の安定性、特に、環境の特性、特に温度及び圧力、の変化に関する安定性の利点を備えながら対象を組み立てる速度が要求される場合であっても使用することができる。
【図１】
2016518540.tif 000003
【図３】
2016518540.tif 000004
【図４】
2016518540.tif 000005
【図６】
2016518540.tif 000006
【図２】
2016518540.tif 000007
【図５】
2016518540.tif 000008
【国際調査報告】
2016518540.tif 000009
2016518540.tif 000010